(57)【特許請求の範囲】
【請求項１】
枠体と、障子と、突き出し棒を備え、障子は、上下左右の何れか一辺を枠体に軸支してあって、室外側に向けて開閉自在であり、突き出し棒は、室外側部と、中間部と、室内側部を有しており、室外側部は、障子の戸先側部に、障子の回転軸と平行な軸周りに回転自在に取り付けてあり、中間部は、室外側部に、障子の回転軸と直交する軸周りに回転自在に連結してあり、室内側部は、中間部に、障子の回転軸と平行な軸周りに回転自在に連結してあるとともに、室内側部と中間部の何れか一方に、その長手方向に沿って他方を押圧する付勢部材を内蔵しており、この付勢部材によって、室内側部は、中間部に対して直線状となるように付勢されており、枠体の、障子を軸支する辺と対向する辺に、室内外方向に貫通するガイド孔を設けてあって、突き出し棒がガイド孔を挿通しており、障子の全開状態において、突き出し棒の室内側部が、室内外方向に略平行で、中間部が、枠体の室外側に位置していて室内側部に対して折れ曲がっていることを特徴とするサッシ。
【発明の詳細な説明】
【技術分野】
【０００１】
本発明は、突き出し棒により開閉する障子を有するサッシに関する。
【背景技術】
【０００２】
従来、開き窓において、非特許文献１に示すような、突き出し棒により開閉操作を行うものがある。突き出し棒は、障子の戸先側部に取り付けてあって、縦枠に設けた貫通孔を挿通するものであり、これを押し引きして障子を開閉する。
【先行技術文献】
【非特許文献】
【０００３】
【非特許文献１】「マディオＰ総合カタログ２０１３−２０１４（ＳＴＪ０８２９Ａ）」、三協立山株式会社、２０１３年２月、ｐ．７８６−７８９
【発明の概要】
【発明が解決しようとする課題】
【０００４】
しかしながら、このような突き出し棒を有する従来の開き窓は、障子の開き角度が小さかった。なぜなら、障子の開き角度を大きくしようとすると、突き出し棒の室内外方向に対する傾斜角度も大きくなり、突き出し棒が縦枠や貫通孔に干渉してしまうからである。そして、干渉を防ぐために、貫通孔の見付幅を大きくすると、縦枠が太くなって窓の開口面積が小さくなってしまうという問題があった。
【０００５】
本発明は、上記事情を鑑みたものであり、突き出し棒により開閉する障子を有するものであって、障子の開き角度が大きく、かつ開口面積が大きいサッシを提供することを目的とする。
【課題を解決するための手段】
【０００６】
本発明は、枠体と、障子と、突き出し棒を備え、障子は、上下左右の何れか一辺を枠体に軸支してあって、室外側に向けて開閉自在であり、突き出し棒は、室外側部と、中間部と、室内側部を有しており、室外側部は、障子の戸先側部に、障子の回転軸と平行な軸周りに回転自在に取り付けてあり、中間部は、室外側部に、障子の回転軸と直交する軸周りに回転自在に連結してあり、室内側部は、中間部に、障子の回転軸と平行な軸周りに回転自在に連結してあるとともに、室内側部と中間部の何れか一方に、その長手方向に沿って他方を押圧する付勢部材を内蔵しており、この付勢部材によって、室内側部は、中間部に対して直線状となるように付勢されており、枠体の、障子を軸支する辺と対向する辺に、室内外方向に貫通するガイド孔を設けてあって、突き出し棒がガイド孔を挿通しており、障子の全開状態において、突き出し棒の室内側部が、室内外方向に略平行で、中間部が、枠体の室外側に位置していて室内側部に対して折れ曲がっていることを特徴とする。
【発明の効果】
【０００７】
本発明によれば、突き出し棒が折れ曲がることにより、障子の開き角度を大きくしつつ、突き出し棒の室内側部は室内外方向に略平行となって、ガイド孔及び枠体の見付寸法を小さくできるので、窓の開口面積が大きくなり、またスリムな意匠となる。また、手を掛けて操作する室内側部は、室内外方向に略平行な向きにのみ動作するので、操作性がよい。
【図面の簡単な説明】
【０００８】
【図１】上障子の全開状態の横断面図である。
【図２】上障子の全閉状態の横断面図である。
【図３】上障子の全開状態の縦断面図（図１のＡ−Ａ線断面図）である。
【図４】上障子の全閉状態の縦断面図（図２のＢ−Ｂ線断面図）である。
【図５】下障子の全開状態の横断面図である。
【図６】下障子の全閉状態の横断面図である。
【図７】サッシの縦断面図である。
【図８】（ａ）はサッシの室内側正面図であり、（ｂ）は上障子の突き出し棒部分の拡大図である。
【図９】全開状態における上障子及び下障子と突き出し棒の位置関係を示す説明図である。
【図１０】クリック機構の説明図であり、（ａ）は縦断面図、（ｂ）は横断面図である。
【発明を実施するための形態】
【０００９】
以下、本発明の実施の形態を図面に基づいて説明する。このサッシは、図７及び図８（ａ）に示すように、枠体１と、上下に連設する障子２（上障子２ａ及び下障子２ｂ）を備える。枠体１は、縦枠１１と横枠１２を四周枠組みしたものであり、上下方向の中央に無目１３を設けてある。そして、枠体１の内周側の、無目１３の上側に上障子２ａを納めてあり、無目１３の下側に下障子２ｂを納めてある。
【００１０】
より詳しくは、図１及び図２に示すように、上障子２ａの左側端部に断面略Ｃ字形の軸受部２１を形成してあり、左側の縦枠１１の内周側面の室外側部に、縦枠１１の上端から無目１３まで延びる軸部材２２をネジ止めしてある。軸部材２２は、内周側に突出した位置に障子回転軸２３を有しており、上障子２ａの軸受部２１が障子回転軸２３を呑み込んでいて、障子回転軸２３に対して軸受部２１が回転自在である。こうして上障子２ａは、左側辺が左側の縦枠１１に軸支されていて垂直な障子回転軸２３周りに回転自在であり、室外側に向けて開閉自在となっている。
【００１１】
そして、上障子２ａには、開閉操作を行うための突き出し棒３を取り付けてある。なお、本段落の突き出し棒３についての説明は、図１及び図３に示した上障子２ａの全開状態を基準とする。突き出し棒３は、室外側部３１と、中間部３２と、室内側部３３を有している。室外側部３１は、二つのＬ字形の金具を接合して形成してあり、室外側に水平向きの水平片３１１を、室内側に垂直向きの垂直片３１２を有している。そして、上障子２ａの戸先側部（右側の見込面）には、Ｌ字形の取付金具２４を取り付けてあり、室外側部３１の水平片３１１が、取付金具２４に対して、上障子２ａの回転軸と平行な（すなわち垂直な）第一回転軸３４周りに回転自在に取り付けてある。また、中間部３２は、断面矩形の棒材からなり、その室外側端部が、室外側部３１の垂直片３１２に対して、上障子２ａの回転軸と直交する（すなわち水平な）第二回転軸３５周りに回転自在に取り付けてある。この室外側部３１と中間部３２を合わせた長さが、上障子２ａの左右幅と略同じになっている。さらに、室内側部３３は、断面矩形の棒材からなり、その室外側端部が、中間部３２の室内側端部に対して、上障子２ａの回転軸と平行な（すなわち垂直な）第三回転軸３６周りに回転自在に取り付けてある。そして、室内側部３３の室内側端部には、突き出し棒３を操作する際に指で摘むための摘み部３７を設けてある。摘み部３７の下面には、下向きに開口する断面コ字型の係合凹部３８を形成してあり、摘み部３７の室内側面下部には、室内側に向けて突出する係合突起３９を形成してある。なお、中間部３２と室内側部３３の間には、両者が直線状となるように作用するクリック機構７を設けてあるが、これについては後述する。
【００１２】
また、左右の縦枠１１の内周側面の室内側部には、断面コ字形で室内側に向けて開口する溝部１１１を形成してある。そして、右側の縦枠１１（すなわち上障子２ａを軸支する辺と対向する辺）の溝部１１１の底面（見付面）に、室内外方向に貫通するガイド孔４を設けてあって、突き出し棒３がガイド孔４を挿通している。また、右側の縦枠１１の溝部１１１内に、受具５を納めて取り付けてある。受具５は、図１〜図４及び図８（ｂ）に示すように、室内側に開口する箱形のものであり、縦枠１１の見込幅内に納まっていて、上端部がガイド孔４に重なっており、そこから下方に延びていて、突き出し棒３の中間部３２及び室内側部３３が納まるだけの上下長さとなっている。受具５の底面（見付面）の、ガイド孔４と重なった位置には、室内外方向に貫通してガイド孔４と連通する連通孔５１を形成してあり、突き出し棒３が、ガイド孔４とともに連通孔５１を挿通している。また、受具５の左右の内側面の上端部（突き出し棒３が水平方向に通過する部分）は、室内側に向けて広がるように傾斜面５２となっている。さらに、連通孔５１の室内側下部には、上側に向けて突出する係合凸部５３を形成してある。また、受具５内の下面に、上側に向けて延び途中で屈曲して室内側に向けて延びる延出片５４を設けてあり、延出片５４の先端に、上側に向けて突出する被係合突起５５を形成してある。なお、左側の縦枠１１の溝部１１１と、右側の縦枠１１の溝部１１１の受具５の上下には、開口を塞ぐための断面コ字形のカバー材１１２を挿入してある。そして、図１及び図７に示すように、枠体１の室内側端部（左右の縦枠１１においては、溝部１１１の内周側の室内側端部）には、固定式の網戸６を設けてある。網戸６は、上下にわたって一連のものとなっており、室内側から見て無目１３を覆い隠している。
【００１３】
このように構成した突き出し棒３は、図１及び図３に示すように、上障子２ａの全開状態において、室内側部３３が、室内外方向に略平行となり、中間部３２及び室外側部３１が枠体１の室外側に位置していて、中間部３２が室内側部３３に対して左方向（内周側方向）に折れ曲がっている（室外側部３１と中間部３２の間の第二回転軸３５は水平向きなので、ここで折れ曲がることはない）。この際、突き出し棒３の枠体１より室外側に位置する部分、すなわち室外側部３１と中間部３２を合わせた部分の長さが、上障子２ａの左右幅と略同じであるから、平面視して、枠体１の横枠１２と、上障子２ａと、突き出し棒３の室外側部３１及び中間部３２で略正三角形を形成する。なお、全開状態においては、摘み部３７を押し下げることで、摘み部３７の下面の係合凹部３８が、受具５の係合凸部５３に係合し、突き出し棒３及び上障子２ａが固定される。
【００１４】
また、図２及び図４に示すように、上障子２ａの全閉状態において、突き出し棒３の枠体１より室内側に位置する部分、すなわち中間部３２及び室内側部３３が、室外側部３１に対して下方向に９０度折れ曲がり、縦枠１１に沿うようにして、受具５内に納まる（すなわち、突き出し棒３は縦枠１１の見込幅内に納まる）。そして、摘み部３７の係合突起３９が、受具５の被係合突起５５に係合し、突き出し棒３が固定されるとともに、こうして突き出し棒３を折り曲げることで、上障子２ａが室内側に引き寄せられるので、突き出し棒３が上障子２ａのロック機構として機能する。
【００１５】
このように構成した上障子２ａについて、全閉状態から開放する際には、突き出し棒３の摘み部３７に手を掛けて、室内側に引き上げる。この際、摘み部３７の係合突起３９が、受具５の被係合突起５５に係合しているが、ある程度の力を加えることで、延出片５４が弾性変形して係合が解除される。中間部３２及び室内側部３３が水平向きになるまで引き上げたら、突き出し棒３を室外側に向けて押し出す。これにより上障子２ａが室外側に開いていき、中間部３２がガイド孔４を通過すると、室内側部３３に対して左側に折れ曲がり始める。そして、室内側部３３の略全長が枠体１の見込幅内に納まるまで押し込むと、図１及び図３に示す全開状態となる。そこで、摘み部３７を押し下げて、係合凹部３８を受具５の係合凸部５３に係合させ、上障子２ａを全開状態で固定する。一方、全開状態から閉鎖する際には、突き出し棒３の摘み部３７に手を掛け、押し上げて係合凹部３８と受具５の係合凸部５３の係合を解除してから、室内側に引っ張る。これにより上障子２ａが室内側に閉じていくとともに、中間部３２の室内側部３３に対する傾斜角度が小さくなっていく。そして、室内側部３３及び中間部３２がガイド孔４を通過したら、室外側部３１に対して中間部３２を下方向に折り曲げて、中間部３２及び室内側部３３を受具５内に納めるとともに、上障子２ａを室内側に引き寄せる。この際、摘み部３７を室外側に向けて押し込んで、係合突起３９を受具５の被係合突起５５に係合させて、上障子２ａを全閉状態で固定する。なお、受具５の左右の内側面の突き出し棒３が通過する部分は、室内側に向けて広がるように傾斜面５２となっており、ガイド孔４及び受具５の連通孔５１を通過中の突き出し棒３が室内外方向に対して略１０度まで傾斜可能なので、より押し引きしやすくなっている。
【００１６】
以上においては、上障子２ａの構成とその動作について説明したが、下障子２ｂについては、図５及び図６に示すように、上障子２ａと左右対称の全く同じ構成である。よって、上障子２ａと下障子２ｂは、開き方向が互い違いになっている。なお、図８（ａ）に示すように、突き出し棒３の高さ位置は、上障子２ａについてはその下部に位置しており、下障子２ｂについてはその上部に位置していて、両突き出し棒３が、サッシ全体の上下方向の中央に寄っている。このように、両突き出し棒３を近くに配置することで、操作しやすくなっている。そして、上障子２ａと下障子２ｂを両方全開状態にした場合、上障子２ａと下障子２ｂのそれぞれにおいて、平面視して、枠体１の横枠１２と、上障子２ａ又は下障子２ｂと、その突き出し棒３の室外側部３１及び中間部３２で略正三角形を形成する。そして、図９に示すように、これが上下に並んで、上障子２ａの突き出し棒３ａの室外側部３１ａ及び中間部３２ａが、下障子２ｂの略真上に位置し、下障子２ｂの突き出し棒３ｂの室外側部３１ｂ及び中間部３２ｂが、上障子２ａの略真下に位置する。よって、サッシ全体として、正三角柱のような形態となる。
【００１７】
なお、突き出し棒３の中間部３２と室内側部３３の間には、クリック機構７を設けてある。クリック機構７は、室内側部３３の室外側端面に形成した凹曲面７１と、球体７２と、付勢部材７３からなる。付勢部材７３は、コイルバネからなるもので、中間部３２の室内側端面に形成した穴７４に挿入してあり、さらにこの穴７４に球体７２を挿入してあって、付勢部材７３が球体７２を凹曲面７１に対して押圧している。このクリック機構７により、通常時は、球体７２が凹曲面７１に嵌まった状態なので、中間部３２に対して室内側部３３が直線状に固定される。そして、力を加えれば、中間部３２に対して室内側部３３を傾斜させることができるが、傾斜させると、凹曲面７１が球体７２を付勢部材７３の付勢力に抗して中間部３２側に押すことになるので、常に中間部３２に対して室内側部３３を直線状にしようとする向きに付勢される。このクリック機構７により、突き出し棒３がぐらつくことがないので、操作しやすく、枠体１などに衝突することもない。
【００１８】
このように構成したサッシによれば、突き出し棒３が折れ曲がることにより、障子２（上障子２ａ及び下障子２ｂ）の開き角度を大きくしつつ、突き出し棒３の室内側部３３は室内外方向に略平行となって、ガイド孔４及び枠体１の見付寸法を小さくできるので、窓の開口面積が大きくなり、またスリムな意匠となる。また、手を掛けて操作する室内側部３３は、室内外方向に略平行な向きにのみ動作するので、操作性がよい。さらに、突き出し棒３が縦枠１１の溝部１１１内に設けたガイド孔４を挿通するので、突き出し棒３が溝部１１１の内周側に設けた網戸６に干渉することがない。
【００１９】
そして、上障子２ａ及び下障子２ｂの全閉状態においては、突き出し棒３が縦枠１１に沿うように折れ曲がって縦枠１１の見込幅内に納まり、上障子２ａ及び下障子２ｂの全開状態においては、突き出し棒３の大部分が枠体１の室外側に位置することになるので、何れの状態においても、突き出し棒３やその他の部材が室内側に突出せず、窓の前を通過する際の障害にならない。また、突き出し棒３により上障子２ａ及び下障子２ｂを室内側に引き寄せて閉鎖するので、それ以外のロック機構が必要ない。さらに、突き出し棒３が枠体１の縦枠１１に設けたガイド孔４を挿通しているので、上障子２ａと下障子２ｂの間の無目１３の見付寸法を小さくするとともに、無目１３から室内側に突出するハンドルなども存在しないので、無目１３の室内側に上下方向一連の網戸６を設けて無目１３を覆い隠してすっきりとした意匠にすることができる。また、上障子２ａ及び下障子２ｂの全開状態において、平面視して、上障子２ａ又は下障子２ｂと、突き出し棒３と、枠体１とで略正三角形を形成し、これが上下に並んで、サッシ全体として正三角柱のような形態となるので、意匠性がよい。そして以上のことから、このサッシは、上障子２ａ及び下障子２ｂの全開状態と全閉状態の何れにおいても、スマートな外観となるので、サッシ全体として意匠性が良好である。
【００２０】
本発明は、上記の実施形態に限定されない。たとえば、障子は、上下左右の何れか一辺を枠体に軸支してあればよく、障子を一枚のみ有するものであっても、上下又は左右に複数枚連設するものであってもよい。そして連設する場合、各障子の開き方向は限定されないが、上記のように、隣接する障子の開き方向が互い違いになっていれば、換気効率がよいので、より望ましい。また、障子と枠体の形状は、一例を示したものであり、障子が枠体に納まるものであって、室外側に向けて開く構造であれば、どのような形状のものであってもよい。さらに、クリック機構については、上記実施形態とは逆に、中間部に凹曲面を設け、室内側部に球体及び付勢部材を設けてもよい。
【符号の説明】
【００２１】
１  枠体
２  障子
３  突き出し棒
４  ガイド孔
１１  縦枠
３１  室外側部
３２  中間部
３３  室内側部
【図１】
0006522315.tif 000002
【図２】
0006522315.tif 000003
【図３】
0006522315.tif 000004
【図４】
0006522315.tif 000005
【図５】
0006522315.tif 000006
【図６】
0006522315.tif 000007
【図７】
0006522315.tif 000008
【図８】
0006522315.tif 000009
【図９】
0006522315.tif 000010
【図１０】
0006522315.tif 000011